(57)【要約】【課題】カバー部材の通気口に対する利用者の斜め上方からの視線を遮り、見栄えの良い冷凍・冷蔵ショーケースを提供する。【解決手段】商品陳列部２の下方に基台３が設けられる冷凍・冷蔵ショーケース１であって、基台３の開口３５を覆うカバー部材５を備え、カバー部材５は、左右方向に延び上下方向に離間して配置される複数の棒状部材５１，５１，…を有している。【選択図】図２
2018023483.tif 000002
【特許請求の範囲】
【請求項１】
商品陳列部の下方に基台が設けられる冷凍・冷蔵ショーケースであって、
前記基台の開口を覆うカバー部材を備え、
前記カバー部材は、左右方向に延び上下方向に離間して配置される複数の棒状部材を有していることを特徴とする冷凍・冷蔵ショーケース。
【請求項２】
前記カバー部材において下側に配置される前記棒状部材は、上側に配置される前記棒状部材よりも前記基台の内部側に位置していることを特徴とする請求項１に記載の冷凍・冷蔵ショーケース。
【請求項３】
前記複数の棒状部材は、上下方向に基台の外側に突出する曲面を描くように配置されることを特徴とする請求項２に記載の冷凍・冷蔵ショーケース。
【請求項４】
前記棒状部材は、略円柱状または略円筒状であることを特徴とする請求項１ないし３のいずれかに記載の冷凍・冷蔵ショーケース。
【請求項５】
前記カバー部材は、前記複数の棒状部材と、前記複数の棒状部材の両端部を着脱可能に支持する側面部材と、を備えることを特徴とする請求項１ないし４のいずれかに記載の冷凍・冷蔵ショーケース。
【請求項６】
前記商品陳列部の前端が前記基台よりも前方に張り出しており、
前記カバー部材は、前記商品陳列部の下方に配置され、前記カバー部材の前面上端が前記商品陳列部の前端と揃っていることを特徴とする請求項１ないし５のいずれかに記載の冷凍・冷蔵ショーケース。
【請求項７】
前記カバー部材の背面に整風板が配置されていることを特徴とする請求項１ないし６のいずれかに記載の冷凍・冷蔵ショーケース。
【発明の詳細な説明】
【技術分野】
【０００１】
本発明は、商品陳列部の下方に基台が設けられる冷凍・冷蔵ショーケースに関する。
【背景技術】
【０００２】
食品等の被冷却物（商品）を冷却する商品陳列部を備える冷凍・冷蔵ショーケースは、利用者が取り出しやすい高さに商品を陳列するために、商品陳列部の下方に基台を設けて商品陳列部の高さ位置を調整している。また、基台の内部は、冷媒による冷凍サイクルを行う冷凍機ユニットや該冷凍機ユニットの運転制御を行う制御機器等が配置される機械室となっている。
【０００３】
基台の前面には、機械室に配置される各種機器の保護及び目隠しのためにキックプレート等のカバー部材が取り付けられており、各種機器の整備や清掃等のメンテナンスを行う際には、カバー部材を取り外すことにより基台の内部にアクセスできるようになっている。また、カバー部材には、冷凍機ユニットを構成する凝縮器を冷却するための外気を取り込む通気孔が多数形成されている。また、カバー部材の通気孔から外気が取り込まれる際には、床面から舞い上がる埃等も一緒に取り込まれるため、凝縮器への埃等の付着を防ぐためにカバー部材と凝縮器との間には埃等を捕集する凝縮器用フィルタが配置されている。
【０００４】
このような冷凍・冷蔵ショーケースには、例えば、特許文献１に開示されているような技術が採用されている。特許文献１によれば、冷凍機内蔵型ショーケース（冷凍・冷蔵ショーケース）は、商品陳列部を有するケーシングと、該ケーシングの下部に配置される架台（基台）と、該架台の内部に形成された機械室に収容される冷凍機ユニットと、架台の前面に取り付けられるキックプレートと、から主に構成され、キックプレートには、機械室に収容される凝縮器の直前の位置に開口が設けられており、該開口には、キックプレートと別体に構成され多数の通気孔（通気口）が形成された通気孔カバー（カバー部材）が着脱自在に取り付けられている。また、通気孔カバーの内側には、凝縮器用フィルタを着脱自在に保持するフィルタ保持部が設けられており、通気孔カバーをキックプレートから取り外した状態でフィルタ保持部から凝縮器用フィルタを着脱できるため、凝縮器用フィルタの清掃・交換等のメンテナンス性が高められている。
【先行技術文献】
【特許文献】
【０００５】
【特許文献１】特開２００４−２４５５６９号公報（第４頁、第１図）
【発明の概要】
【発明が解決しようとする課題】
【０００６】
しかしながら、特許文献１にあっては、金属製の薄板から構成される通気孔カバーに通気孔が穿設されており、お客様等の利用者には、通常通気孔カバーは斜め下方において視界に入ることになる。そのため、通気孔を通して架台の内部構造（例えば、凝縮器用フィルタ）や通気孔カバーの裏側から漏れる光等が利用者に視認される虞があり、冷凍・冷蔵ショーケースの見栄えが悪くなるという問題があった。
【０００７】
本発明は、このような問題点に着目してなされたもので、カバー部材の通気口に対する利用者の斜め上方からの視線を遮り、見栄えの良い冷凍・冷蔵ショーケースを提供することを目的とする。
【課題を解決するための手段】
【０００８】
前記課題を解決するために、本発明の冷凍・冷蔵ショーケースは、
商品陳列部の下方に基台が設けられる冷凍・冷蔵ショーケースであって、
前記基台の開口を覆うカバー部材を備え、
前記カバー部材は、左右方向に延び上下方向に離間して配置される複数の棒状部材を有していることを特徴としている。
この特徴によれば、棒状部材同士の上下方向の隙間にカバー部材の通気口が形成されるとともに、棒状部材は前後方向に厚みを有しており、複数の棒状部材が利用者の斜め上方からの視線と重なるため、カバー部材の通気口に対する利用者の斜め上方からの視線を遮り、冷凍・冷蔵ショーケースの見栄えを良くすることができる。
【０００９】
前記カバー部材において下側に配置される前記棒状部材は、上側に配置される前記棒状部材よりも前記基台の内部側に位置していることを特徴としている。
この特徴によれば、上下に隣接する棒状部材の内、下側に配置される棒状部材も利用者の斜め上方からの視線と重なりやすくなるため、カバー部材の通気口に対する利用者の斜め上方からの視線をさらに遮りやすくできる。
【００１０】
前記複数の棒状部材は、上下方向に基台の外側に突出する曲面を描くように配置されることを特徴としている。
この特徴によれば、カバー部材の前面が複数の棒状部材により上下方向に曲面を描くように形成されるため、見栄えを良くすることができるとともに、下方の通気口を利用者の視線に入り難くすることができる。
【００１１】
前記棒状部材は、略円柱状または略円筒状であることを特徴としている。
この特徴によれば、棒状部材の上端部に埃等が溜まり難くなるとともに、上下に配置される棒状部材に邪魔されることなく、棒状部材の前端よりも基台の内部側に清掃器具等が入り込みやすくなるため、カバー部材の清掃等を行いやすい。
【００１２】
前記カバー部材は、前記複数の棒状部材と、前記複数の棒状部材の両端部を着脱可能に支持する側面部材と、を備えることを特徴としている。
この特徴によれば、棒状部材の一部が変形・破損しても、当該棒状部材のみを側面部材から取り外して修理または交換を行うことができるため、カバー部材のメンテナンス性を高めることができる。
【００１３】
前記商品陳列部の前端が前記基台よりも前方に張り出しており、
前記カバー部材は、前記商品陳列部の下方に配置され、前記カバー部材の前面上端が前記商品陳列部の前端と揃っていることを特徴としている。
この特徴によれば、冷凍・冷蔵ショーケースの前面及び側面を商品陳列部から基台にかけて連続的に構成することができるため、見栄えを良くすることができる。
【００１４】
前記カバー部材の背面に整風板が配置されていることを特徴としている。
この特徴によれば、カバー部材の通気口から取り込まれた外気を整風板によって凝縮器に効率よく当てることができるため、凝縮器における熱交換効率を高めることができる。
【図面の簡単な説明】
【００１５】
【図１】実施例における冷凍・冷蔵ショーケースを示す斜視図である。
【図２】冷凍・冷蔵ショーケースの構造を示す側面視の断面図である。
【図３】基台及びカバー部材の構造を示す側面視の断面図である。
【図４】カバー部材の構造を示す分解斜視図である。
【図５】カバー部材の開閉構造を示す側面視の断面図である。
【図６】利用者の斜め上方からの視線とカバー部材との位置関係を示す模式図である。
【発明を実施するための形態】
【００１６】
本発明に係る冷凍・冷蔵ショーケースを実施するための形態を実施例に基づいて以下に説明する。
【実施例】
【００１７】
実施例に係る冷凍・冷蔵ショーケースにつき、図１から図６を参照して説明する。以下、図２の紙面左側を冷凍・冷蔵ショーケースの正面側（前方側）とし、その前方側から見たときの上下左右方向を基準として説明する。尚、前述した基台の内部側とは、後述する基台３の後方側のことであり、基台の外側とは、基台３の前方側のことである。
【００１８】
本実施例の冷凍・冷蔵ショーケース１は、スーパーマーケットやコンビニエンスストア等において食品等の商品を保冷した状態で陳列するために設置され、図１に示されるように、冷凍・冷蔵ショーケース１の上方に設けられ商品（図示略）が冷却・収納される商品陳列部２と、該商品陳列部２の下方に設けられる基台３と、から主に構成され、基台３の内部に形成される機械室（後述する上部機械室３１及び下部機械室３２）に収容された冷凍機ユニットにより冷凍・冷蔵ショーケース１内で冷凍サイクルを行って商品陳列部２を冷却できるようになっている。
【００１９】
図２に示されるように、冷凍・冷蔵ショーケース１は、前面側が開放された略コ字形をなす断熱構造の外箱２２と、その内方の、同じく前面側が開放された略コ字形の内箱２３とから構成されるケース本体２１を備え、その内部空間に商品陳列部２が形成されている。内箱２３の背面部２３ａには、前後に延びるブラケット２４，２４，２４の後端が取付けられ、ブラケット２４，２４，２４の上には棚板２５，２５，２５が取付けられており、棚板２５，２５，２５及び内箱２３の底部２３ｂの上面にそれぞれ商品が陳列可能になっている。
【００２０】
また、ケース本体２１の背面側には、外箱２２と内箱２３との間に通風路２６が形成され、この通風路２６の鉛直下方が後述する上部機械室３１に連通しており、冷凍機ユニットを構成する後述する蒸発器４１と、該蒸発器４１に向けて空気を送る送風機４２とが配設されている。尚、蒸発器４１は、冷媒を利用した冷凍サイクルにより熱交換を行い、その周囲の空気を冷却できるようになっている。
【００２１】
また、ケース本体２１の上部前端の下縁には、通風路２６に連通する冷気の吹出口２７が下向きに形成され、ケース本体２１の下部前端の上縁には、上方に開口して上部機械室３１に連通する冷気の吸込口２８が形成されているため、上部機械室３１内の送風機４２を作動させることにより、蒸発器４１により冷却された冷気が、上方の吹出口２７から下方の吸込口２８に向けて吹き出されるようになっている。
【００２２】
これによれば、ケース本体２１の前面の開放面に冷気の気流によりエアカーテンが形成されるとともに、その冷気の一部が商品陳列部２内に流入することにより、商品陳列部２内が冷却された状態を維持できるようになっている。また、吸込口２８から吸い込まれた冷気は、上部機械室３１内に流入して、送風機４２により再び蒸発器４１に送られることにより、冷気が効率的に循環するようになっている。
【００２３】
図２に示されるように、商品陳列部２の下方に設けられる基台３は、その内部に形成される上部機械室３１と、該上部機械室３１の下方に形成される下部機械室３２と、から構成され、冷媒を利用した冷凍サイクルを行う冷凍機ユニットを構成する蒸発器４１、圧縮機４３、凝縮器４４及び図示しない膨張弁がそれぞれ冷媒配管４５により接続された状態で収容されている。
【００２４】
上部機械室３１は、ケース本体２１を構成する内箱２３の底部２３ｂと、外箱２２の底部２２ａとの上下間に形成され、前述したようにケース本体２１の背面側で通風路２６に連通している。
【００２５】
また、上部機械室３１の底面を構成する外箱２２の底部２２ａには、前方の所定位置に排水部３１ａが設けられている。さらに、排水部３１ａは、下方の下部機械室３２に配設される図示しない排水処理部に配水管３１ｂにより連結されている。尚、上部機械室３１の底面は、排水部３１ａに向けて下方に傾斜した形状を成しており、冷却に伴って蒸発器４１に付着する霜を除霜した際等に生じる水が傾斜に沿って排水部３１ａまで流れやすくなっている。
【００２６】
下部機械室３２は、外箱２２の底部２２ａを挟んで上部機械室３１の下方に設けられ、前後に開口を有する箱型に形成されており、前方の開口３５には、後述するカバー部材５が着脱可能に取付けられている。また、後方の開口には、矩形状の換気カバー３３が着脱可能に取付けられている。これによれば、前方のカバー部材５から取り込まれた外気は、下部機械室３２内を前後方向に通過した後、後方の換気カバー３３から外部に排気される（図３参照）。尚、下部機械室３２内を前方から後方に通過する外気は、冷凍サイクルを行う冷凍機ユニットを構成する凝縮器４４において熱交換により冷媒から放熱された熱を受け渡される熱交換風としての役割を持っている。
【００２７】
また、下部機械室３２には、冷凍サイクルにおいて蒸発器４１で発生した低温低圧の冷媒を圧縮する圧縮機４３と、冷凍サイクルの冷媒の流れにおいて圧縮機４３の下流側に配置され熱交換を行う凝縮器４４と、下部機械室３２内において外気を前方から後方に向けて能動的に送る送風機４６と、前述した図示しない排水処理部と、冷凍・冷蔵ショーケース１の動作を制御する図示しない制御装置等が内蔵された図示しない電装箱と、が配設されている。
【００２８】
図２及び図３に示されるように、上部機械室３１の前端は、上方に隣接する商品陳列部２の前端と揃うように構成され、下方の下部機械室３２の前端よりも前方に張り出している。
【００２９】
図１に示されるように、商品陳列部２の両側面には、透光性パネル２０，２０が設けられ、該透光性パネル２０，２０の前縁は、下端が上端よりも前方に張り出した状態で緩やかに曲面を描くように形成されている。また、基台３の両側面には、側板３０，３０が設けられ、該側板３０，３０の前縁は、上端が下端よりも前方に張り出した状態で緩やかに曲面を描くように形成されている。これによれば、冷凍・冷蔵ショーケース１の両側面の前縁を透光性パネル２０，２０及び側板３０，３０によって上下方向に緩やかな略円弧状（図２参照）に形成することができ、美観を高めることができる。
【００３０】
図１及び図２に示されるように、カバー部材５は、基台３の両側方に設けられる側板３０，３０間において、下部機械室３２の前方の開口３５に取り付けられる。尚、カバー部材５は、商品陳列部２及び上部機械室３１の下方に配置される。また、カバー部材５により下部機械室３２の開口３５が閉塞された状態においては、カバー部材５の前面上端は、商品陳列部２に隣接する上部機械室３１の前面に揃うようになっている。これによれば、冷凍・冷蔵ショーケース１の前面を商品陳列部２から基台３にかけて段差なく構成することができ、見栄えを良くすることができる。
【００３１】
また、カバー部材５は、前面が前述した基台３の両側面に設けられる側板３０，３０の前縁に沿うように上端が下端よりも前方に張り出した状態で緩やかに曲面を描くように形成されている。これによれば、冷凍・冷蔵ショーケース１の前面及び側面を商品陳列部２から基台３にかけて上下方向に緩やかな曲面状に形成することができ、美観を高めることができる。
【００３２】
次いで、カバー部材５の構造について、図３及び図４を用いて詳しく説明する。図３及び図４に示されるように、カバー部材５は、左右方向に延びる複数の棒状部材５１，５１，…（本実施例においては９本）と、該棒状部材５１，５１,…の左右両端部を支持する一対の側面部材５２，５２と、該側面部材５２,５２の上端に取り付けられる横架部材５４と、棒状部材５１,５１,…の後方に配置され側面部材５２,５２の間に取り付けられる整風板５５と、該整風板５５に後方から取り付けられるフィルタ保持部材５６と、から主に構成されている。尚、複数の棒状部材５１,５１，…は、同一構成であるため、１本の棒状部材５１についてのみ説明する。
【００３３】
棒状部材５１は、ステンレスの押出し成形品であり、略円筒状を成し、左右両端部には内周がねじ切りされた空洞部５１ａ，５１ａが形成されている。
【００３４】
側面部材５２，５２は、ステンレス板の打抜き加工により成形され、前縁は前述した側板３０，３０の前縁に合わせて上方が下方よりも前方に張り出した状態で緩やかに曲線を描くように形成され、後縁は上下方向に直線状に形成されている。また、側面部材５２，５２の前縁近傍には、左右方向に貫通する複数の貫通孔５２ａ，５２ａ，…がそれぞれ形成されている。貫通孔５２ａ，５２ａ，…は、側面部材５２，５２の前縁に沿って曲線を描くように上下方向に所定間隔置きに配置されている。
【００３５】
これによれば、複数の棒状部材５１，５１，…の空洞部５１ａ，５１ａ，…と側面部材５２，５２の貫通孔５２ａ，５２ａ，…をそれぞれ位置合わせした状態で、左右から固定ネジ５２ｂ，５２ｂ，…で締め付けることにより、側面部材５２，５２によって複数の棒状部材５１，５１，…を左右から挟み込むように支持することができる。そのため、複数の棒状部材５１，５１，…によってカバー部材５の前面を曲面状に構成することができる。
【００３６】
さらに、側面部材５２，５２に支持される棒状部材５１，５１，…は、上下方向に所定間隔置きに配置されるため、カバー部材５の前面には、上下の棒状部材５１，５１，…と左右の側面部材５２，５２とから構成される複数の通気口５３，５３，…が形成される。
【００３７】
横架部材５４は、ステンレス板の曲げ加工により成形され、断面視Ｌ字状を成し、前端部を下方に屈曲させることにより把持部５４ａが形成されている。尚、側面部材５２，５２の前縁の上端近傍は、最上段の棒状部材５１が支持される貫通孔５２ａ，５２ａ付近から上方に向けて後方側に傾斜している。これによれば、カバー部材５の左右方向に亘って延びる横架部材５４の把持部５４ａの左右両端部を側面部材５２，５２の前縁に邪魔されることなく把持できるようになっている。また、把持部５４ａは、下方に延出しているため、利用者の斜め上方からの視線を遮ることができる。
【００３８】
整風板５５は、ステンレス板の曲げ加工により成形され、側面視略コ字状を成し、棒状部材５１と左右方向の寸法が略同一になるように構成されている。また、整風板５５には、パンチング加工により前後方向に貫通する複数の貫通孔５５ａ，５５ａ，…が形成されている。これによれば、前述した送風機４６の動作により、カバー部材５の通気口５３，５３，…から取り込まれた外気は、整風板５５の貫通孔５５ａ，５５ａ，…を通る際に整風される。そのため、整風板５５の貫通孔５５ａ，５５ａ，…から凝縮器４４に向けて整風された外気が吹き付けるようになり、凝縮器４４における熱交換効率を高めることができる。
【００３９】
また、整風板５５の下端部には、左右一対の係止孔５５ｂ，５５ｂが形成されており、この係止孔５５ｂ，５５ｂは、下部機械室３２の開口３５の下方に上方に起立し左右一対設けられる係止爪３４，３４に対応している。これによれば、下部機械室３２側の係止爪３４，３４に整風板５５の係止孔５５ｂ，５５ｂを係止させることによって、カバー部材５の下端部を下部機械室３２の開口３５に取り付けることができる。また、カバー部材５は、上方の把持部５４ａを把持した状態で係止された係止孔５５ｂ，５５ｂ（カバー部材５の下端部）を軸に回動可能となっており、カバー部材５によって下部機械室３２の開口３５の開閉を容易に行うことができる（図５参照）。尚、カバー部材５の後端には、上方あるいは側方に図示しない磁石が取り付けられている。これによれば、下部機械室３２の開口３５の上縁あるいは側縁に対してカバー部材５の後端が磁気吸着することにより、下部機械室３２の開口３５の閉塞状態を維持することができる。
【００４０】
フィルタ保持部材５６は、ステンレス板の曲げ加工により成形され、側面視略コ字状を成し、整風板５５よりも左右方向の寸法が小さく構成されている。尚、フィルタ保持部材５６は、整風板５５に対して図示しないネジ等で上下から固定されている。また、フィルタ保持部材５６には、下部機械室３２における凝縮器４４の配置位置に対応して矩形状の開口部５６ａが形成されている。これによれば、カバー部材５の通気口５３，５３，…から取り込まれた外気を凝縮器４４に効率よく吹き付けることができ、凝縮器４４における熱交換効率を高めることができる。尚、開口部５６ａの後方側には、開口周縁に沿って略ロ字形状の樹脂製のパッキン材５７（図３参照）が設けられている。これによれば、カバー部材５により下部機械室３２の開口３５を閉塞した状態において、パッキン材５７が凝縮器４４の前面に対して先に近接あるいは当接するため、フィルタ保持部材５６と凝縮器４４とが直接接触することによる変形・破損を防ぐことができる。
【００４１】
また、フィルタ保持部材５６の上端部には、左右方向に延びるスリット５６ｂが形成されている。これによれば、スリット５６ｂに上方から凝縮器用フィルタ５８を抜き差しすることにより、フィルタ保持部材５６に凝縮器用フィルタ５８を着脱することができる。
【００４２】
さらに、図５に示されるように、カバー部材５を開けた状態においては、フィルタ保持部材５６のスリット５６ｂが前方斜め上方を向くようになっているため、凝縮器用フィルタ５８の着脱を容易に行うことができる。
【００４３】
以上説明したように、冷凍・冷蔵ショーケース１の基台３を構成する下部機械室３２の開口３５を覆うカバー部材５は、上下方向に離間して配置される複数の棒状部材５１，５１，…を有しているため、棒状部材５１，５１，…同士の上下方向の隙間にカバー部材５の通気口５３，５３，…が形成されるとともに、棒状部材５１，５１，…は前後方向に厚みを有しており、図６に示されるように、複数の棒状部材５１，５１，…が利用者の斜め上方からの視線と重なるため、カバー部材５の通気口５３，５３，…に対する利用者の斜め上方からの視線を遮り、冷凍・冷蔵ショーケース１の見栄えを良くすることができる。
【００４４】
また、カバー部材５において下側に配置される棒状部材５１，５１，…は、上側に配置される棒状部材５１，５１，…よりも基台３の内部側（後方側）に位置しているため、上下に隣接する棒状部材５１，５１，…の内、通気口５３，５３，…の下方側に配置される棒状部材５１，５１，…も利用者の斜め上方からの視線と重なりやすくなり、カバー部材５の通気口５３，５３，…に対する利用者の斜め上方からの視線をさらに遮りやすくできる。すなわち、上方側に配置される棒状部材５１，５１，…によって遮ることができないカバー部材５の通気口５３，５３，…に対する利用者の斜め上方からの視線を、下方側に配置される棒状部材５１，５１，…により遮ることができる。
【００４５】
また、冷凍・冷蔵ショーケース１の前面は、商品陳列部２から基台３にかけて上下方向に連続的に構成されているため、利用者がカバー部材５を意識することが少なく、カバー部材５の前面に形成される通気口５３，５３，…に利用者が視線を向け難くなる。
【００４６】
また、複数の棒状部材５１，５１，…は、上下方向に基台３の前方側に突出する曲面を描くように配置されるため、カバー部材５の前面が複数の棒状部材５１，５１，…により上下方向に曲面を描くように形成され、見栄えを良くすることができるとともに、下方側の通気口５３，５３，…を利用者の視線に入り難くすることができる。尚、床面に近い下方側の通気口５３，５３，…には、埃等の汚れが付きやすく、その部分を利用者の視線に入り難くすることにより、見栄えをさらに良くすることができる。
【００４７】
また、棒状部材５１，５１，…は、略円筒状であり、その外周が円弧状であるため、棒状部材５１，５１，…の上端部に埃等が溜まり難くなるとともに、上下に配置される棒状部材５１，５１，…に邪魔されることなく、カバー部材５の前面よりも下部機械室３２の内部側に清掃器具等が入り込みやすくなり清掃等を行いやすい。
【００４８】
また、カバー部材５は、複数の棒状部材５１，５１，…と、複数の棒状部材５１，５１，…の両端部を着脱可能に支持する側面部材５２，５２と、を備えるため、棒状部材５１，５１，…の一部が変形・破損しても、変形・破損した棒状部材５１のみを側面部材５２，５２から取り外して修理または交換を行うことができ、カバー部材５のメンテナンス性を高めることができる。尚、カバー部材５は、棒状部材５１，５１，…、側面部材５２，５２、整風板５５及びフィルタ保持部材５６等がユニット化されているため、カバー部材５を着脱して凝縮器用フィルタ５８の清掃・交換等のメンテナンスを行いやすい。
【００４９】
また、複数の棒状部材５１，５１，…は、側面部材５２，５２の前縁よりも後方側に配置されており、カバー部材５を開ける際に、側面部材５２，５２の前縁が床面に対して先に当接するため、棒状部材５１，５１，…が床面に直接接触して変形・破損することを防いでいる（図５参照）。
【００５０】
また、カバー部材５は、基台３の側板３０，３０間に取り付けられ、左右方向の寸法が商品陳列部２及び上部機械室３１の前面の左右方向の寸法と略同一に構成されているため、カバー部材５の左右方向の位置合わせを容易に行うことができるとともに、冷凍・冷蔵ショーケース１の前面に一体感が生まれることにより見栄えが良い。
【００５１】
また、カバー部材５の前面が曲面状に構成されるため、カバー部材５にショッピングカート等が衝突した際の接触面積を小さくすることができ、変形・破損する範囲を最小限に抑えることができる。
【００５２】
また、カバー部材５の前面は、主に複数の棒状部材５１，５１，…及び側面部材５２，５２の前縁により構成されるため、カバー部材の前面が板材を用いて曲面状に構成されたた場合と比べて、高い構造強度を維持することができる。
【００５３】
また、カバー部材５の通気口５３，５３，…は、上下の棒状部材５１，５１，…と左右の側面部材５２，５２により構成されるため、パンチング加工や切り起こしにより構成された場合と比べて、指を入れた際にバリ等で怪我をする虞がなく、安全性が高い。
【００５４】
以上、本発明の実施例を図面により説明してきたが、具体的な構成はこれら実施例に限られるものではなく、本発明の要旨を逸脱しない範囲における変更や追加があっても本発明に含まれる。
【００５５】
例えば、前記実施例では、カバー部材５は、基台３の内部に冷凍機ユニットが配置される内蔵型の冷凍冷蔵ショーケースに取り付けられる態様として説明したが、これに限らず、カバー部材が取り付けられる基台の内部には、冷凍機ユニットや制御機器等が配置されていなくてもよい。尚、この場合には、整風板５５、フィルタ保持部材５６、パッキン材５７及び凝縮器用フィルタ５８の構成を省略してもよい。
【００５６】
また、前記実施例では、基台３の両側面に側板３０，３０がそれぞれ取り付けられ、カバー部材５が側板３０，３０の間に配置される態様として説明したが、これに限らず、カバー部材の左右の側面部材が、基台の両側面に取り付けられる側板の一部を構成していてもよい。
【００５７】
また、前記実施例では、９本の棒状部材５１，５１，…が側面部材５２，５２の前縁に沿って曲面を描くように上下方向に所定間隔置きに配置される態様として説明したが、これに限らず、棒状部材の本数や上下の棒状部材の間隔は、カバー部材の通気口に対する利用者の斜め上方からの視線を遮ることができるものであれば、自由に構成されてよい。
【００５８】
尚、側面部材５２，５２に支持される棒状部材５１，５１，…は、周方向に回転可能であってもよい。これによれば、棒状部材５１を回転させて変形・破損した箇所が後方側を向くように調整することにより棒状部材５１の変形・破損した箇所を目立ち難くすることができる。また、棒状部材５１を回転させながらカバー部材５の前方側から棒状部材５１に付着した埃等を取除くことにより、周方向に亘って棒状部材５１に付着した埃等を取除くことができ、メンテナンス性を高めることができる。
【００５９】
また、棒状部材５１は、その形状が略円筒状である例を挙げて説明したが、中実の略円柱あってもよい。さらに、その外形は円形でなく多角形であってもよい。
【符号の説明】
【００６０】
１                冷蔵ショーケース
２                商品陳列部
３                基台
５                カバー部材
３０              側板
３１              上部機械室
３２              下部機械室
３５              開口
４４              凝縮器
５１              棒状部材
５２              側面部材
５３              通気口
５５              整風板
５６              フィルタ保持部材
５８              凝縮器用フィルタ
【図１】
2018023483.tif 000003
【図２】
2018023483.tif 000004
【図３】
2018023483.tif 000005
【図４】
2018023483.tif 000006
【図５】
2018023483.tif 000007
【図６】
2018023483.tif 000008